(57)【要約】  【課題】トリクル充電を避けるようにしてバッテリの耐久性を向上させるようにした。  【解決手段】ノート型パソコンの充電回路に相当する充電回路２１００と２２００を２回路持ち、２次電池によるバッテリ１２０は、内部を２つの第１、第２バッテリ１２１と１２２に分割する。これら２つの第１、第２バッテリ１２１，１２２と２回路の充電回路２１００、２２００は、充放電制御シーケンス回路２３００によりシーケンシャルに制御されて、トリクル充電を極力防ぐことを目的としたものであり、そのシーケンスの流れは、シーケンスメモリ回路２３０１に記憶されている。この充放電制御シーケンス回路２３００は、２つの充電回路２１００、２２００と、２つの充放電用スイッチング素子２１０１、２２０１と２１０３、２２０３とを制御して、２つの第１、第２バッテリ１２１，１２２を持ったバッテリ１２０の回路全体の充放電管理、制御を行う。  【選択図】図１
2007259535.tif 000002
【特許請求の範囲】
【請求項１】
バッテリパックを搭載するノート型パーソナルコンピュータ装置や携帯型電子機器において、
前記バッテリパックを少なくとも２つのブロックに分割し、それぞれのバッテリパックを充電する２回路の充電回路を設け、
それぞれの充電回路を統括して制御する充放電制御シーケンス回路を設け、
このシーケンス回路により、少なくとも２つのバッテリの充放電方向とタイミングを任意に制御できるようにしたことを特徴とするバッテリ充放電管理制御装置。
【請求項２】
前記充放電制御シーケンス回路は、放電から充電への切り替え制御を、それぞれのバッテリが放電完了になってから行なうようにしてトリクル充電状態を回避することを特徴とする請求項１記載のバッテリ充放電管理制御装置。
【発明の詳細な説明】
【技術分野】
【０００１】
本発明は、ノート型パーソナル・コンピュータを始めとする携帯型の電子機器のバッテリ充電管理制御装置に関するものである。
【背景技術】
【０００２】
現在、ノート型のパーソナル・コンピュータや、パーム・トップ・パソコン、ＰＤＡ、携帯電話など、携帯が可能な電子機器には、必ずバッテリ（電池）が使用されている。特に、充放電が可能な２次電池を使用する場合には、携帯時にはバッテリを放電して機器を動作させ、ＡＣアダプタなどの１次電源を接続すると、バッテリヘの充電を行えると共に、同時に機器を動作させることもできるようにするのが普通である。
【０００３】
このような、携帯型の電子機器に於いて充放電可能なバッテリ回路を搭載する場合には、バッテリの充放電を以下の理由から管理する必要がある。ここでは、携帯型電子機器の代表例として、ノート型パーソナル・コンピュータを例に採って以下説明する。
【０００４】
図６に、現在一般的に使用されているノート型パーソナル・コンピュータ（以下ノート型パソコンと略す）の外観と各部の機能を示す。
【０００５】
図６（ａ）において、１００はノート型パソコンの本体、１０１は入力用のキーボード部であり、１０２が画面表示用のＬＣＤディスプレイ部である。また、１０３がポインティング・デバイスとして使用されるスライド・パッド部、１０４が操作用の左ボタン・スイツチ、１０５が操作用の右ボタン・スイツチである。
【０００６】
また、１０６が、外部インタフェースを拡張する際などに用いられるカード用のスロットやＵＳＢ高速シリアル・インタフェースなどのコネクタ部である。１１０は、ノート型パソコンに直流電源を供給するためのＤＣ入力部、１１５はＡＣ１００Ｖの商用電源をノートパソコンで使用する直流電源に変換するためのＡＣ／ＤＣ変換アダプタ（以下ＡＣアダプタと略す）である。
【０００７】
一方、図６（ｂ）はこのノート型パソコンを裏面から見た図である。１２０はノート型パソコンの本体に着脱可能かつ充放電可能な２次電池によるバッテリパック部、１２０ａはその接続コネクタで、そのコネクタ１２０ａにて、本体の内蔵回路と接続される。
【０００８】
次に、図７に、現状の一般的なノート型パソコンの内部回路の機能構成例を示す。図７に於いて、破線内がノート型パソコン本体１００の全体構成で、１１０が、外部のＡＣアダプタから直流電源を取り込むためのＤＣ入力部である。また、２００は、直流電源の入力管理とバッテリの充放電制御を行うための充放電制御回路、２０１は、直流電源をパソコン内部で使用する電圧に変換するためのＤＣ／ＤＣコンバータ回路である。
【０００９】
２０２は、パソコンとしての演算処理や制御を司る演算処理プロセッサ（ＣＰＵ）である。２０３は、ＣＰＵが各制御部との間でデータを授受するためのＣＰＵ  Ｂｕｓである。２０４は、演算処理のプログラムが格納されるプログラム・メモリであって、不揮発性のＦｌａｓｈＲＯＭなどで構成される。２０４は、演算処理中に使用される大容量のワーク・メモリであって、ＳＤＲＡＭやＤＤＲＡＭなどで構成される。
【００１０】
２１０は、操作者によるキー操作を入力するためのキー入力コントロール回路であって、２１１は、キーボードである。２２０は、ポインティング・デバイスの操作を入力するためのポインティング・デバイス・コントロール回路であって、２２１はポインティング・デバイス部分であり、この例では、スライド・パッドと付属された操作用のボタン・スイッチである。
【００１１】
２３０は、画像表示用のＬＣＤ表示器のコントロール回路、２３１はＬＣＤパネルである。更に、ノート型パソコンでは各種の外部入出力インタフェースを持つことが普通で、符号２４０としてこれらの入出力コントロール回路を一括して表現している。この外部インタフェースとしては、ＵＳＢインタフェース２４１、ＩＥＥＥ１３９４インタフェース２４２、ＩｒＤＡ（赤外線）インタフェース２４３、その他２４４（Ｂｌｕｅ  Ｔｏｏｔｈや旧来のＲＳ−２３２−Ｃインタフェースその他各種インタフェースが考えられる）などが設けられる。２５０は、装置内外に設けられる大容量ストレージ・デバイスのコントロール回路であって、ＦＤＤドライブ２５１、ＨＤＤドライブ２５２、ＣＤ−ＲやＣＤ−Ｒ／ｗのドライブ２５３などを制御する。
【００１２】
２６０は、カード・スロット・コントロール回路であって、ＰＣＭＣＩＡカード・スロット２６１や、ＣａｒｄＢｕｓカード・スロット他、機能拡張用の各種カードを利用できるようになっている。
【特許文献１】特開２００３−３０９９３７号公報
【特許文献２】特開２００４−３０４９７６号公報
【特許文献３】特開２００５−２６１０２８号公報
【発明の開示】
【発明が解決しようとする課題】
【００１３】
さて、上述の通り、現状のノート型パソコンは、図７に示すように外部ＡＣアダプタによるＤＣ入力部１１０と、バッテリパック部（以下バッテリと称す）１２０、バッテリに対する充放電制御回路２００などを搭載するのが普通であるが、その部分の回路構成の一例を詳しく示したものが、図８である。図８に於いて、１１０，１２０，１２０ａ，２００，２０１は、図７と同じである。図８に於いて、２０００は、ＡＣアダプタから与えられる直流電源を元にバッテリ１２０の充放電管理を行うための充電制御回路部である。
【００１４】
また、２００１は、バッテリ１２０の充電を行う場合（矢印２）のＦＥＴなどからなるスイッチング素子、２００２は、充電電流のフィードバック制御を行うために充電電流をセンスするためのセンス抵抗、２００３と２００４はカソード側が突合せ接続されたダイオードであり、ダイオード２００３はＡＣアダプタが接続されている時にその電源をパソコン本体に与える動作（矢印１）を、ダイオード２００４はＡＣアダプタが外された場合に、バッテリ１２０が放電して電源をパソコン本体に与える動作（矢印３，４，５）を行う。
【００１５】
さて、ノート型のパソコンは、携帯性を重視しているために、当然ＡＣ電源のないフィールドでの利用が求められ、この場合にはバッテリ１２０での動作を行う必要がある。また、当然ＡＣアダプタを接続して使用されることもある。基本的にＡＣアダプタを接続している間は、バッテリ１２０ヘの充電動作を行っている。
【００１６】
このよう基本的な操作とバッテリ１２０ヘの充放電の関係を遷移図として図示したものが図９である。図９に示す通り、このノート型パソコンのバッテリ充放電の状態には、次に示すように大きく４つの状態がある。
【００１７】
状態Ｉ（Ｉｄｌｅ状態）：ＡＣアダプタからの電源供給なし（ＡＣ  ｏｆｆ）、パソコン本体電源オフ（Ｐｏｗｅｒ  ｏｆｆ）
状態Ｃ（Ｃｈａｒｇｅ状態）：ＡＣアダプタからの電源供給あり（ＡＣ  ｏｎ）、パソコン本体の電源オフ（Ｐｏｗｅｒ  ｏｆｆ）
状態Ｂ（Ｂａｔｔｅｒｙ駆動状態）：ＡＣアダプタからの電源供給なし（ＡＣ  ｏｆｆ）、パソコン本体の電源オン（Ｐｏｗｅｒ  ｏｎ）
状態Ａ（ＡＣ電源駆動状態）：ＡＣアダプタからの電源供給あり（ＡＣ  ｏｎ）、パソコン本体の電源オン（Ｐｏｗｅｒ  ｏｎ）
これらの４つの状態は、図９に示すように大きな円１１〜１４で表されており、それぞれの状態への遷移は、矢印の方向に添え書きされたアクションによって行われる。例えば、円１１の状態Ｉから本体の電源をオン（Ｐｏｗｅｒ  ｏｎ）すると円１２の状態Ｂに遷移し、更に、ＡＣアダプタを接続して外部から電源を供給すると、円１４の状態Ａに遷移する、等々である。
【００１８】
さて、このような状態間の遷移は、極めて簡単な表現であって、これを状態遷移表説明図に書き直したものが、図１０である。この図１０では、４つの状態をそれぞれ、「Ｉ」、「Ｃ」、「Ｂ」、「Ａ」と略称し、発生するアクションは、「ＡＣ  ｏｎ」、「ＡＣ  ｏｆｆ」、「Ｐｏｗ  ｏｎ」、「Ｐｏｗ  ｏｆｆ」の４種である。
【００１９】
図１０において、縦の状態にある場合、列にあるアクションが発生すると、その交点の欄に書かれた状態に遷移してその行に移って行く。
【００２０】
例えば、状態Ｉの「Ｉ」行にあるとき、「Ｐｏｗｅｒ  ｏｎ」が起こるとその交点にある「Ｂ」状態に遷移する。また、「Ｂ」状態で、「ＡＣ  ｏｎ」、が起こると、その交点にある「Ａ」状態に遷移する、等々である。
【００２１】
図９と、図１０は同じ状態の遷移を示しているが、実際には、バッテリの充電状態（蓄電量）などの状態がこれに加えられると、その遷移は急に難しくなる。
【００２２】
図１１は、図９に示した基本遷移に、バッテリの充電状態（蓄電量）を、「Ｆｕｌｌ（Ｆ）」、「Ｍｉｄｄｌｅ（Ｍ）」、「Ｅｍｐｔｙ（Ｅ）」の３つの状態で表現して遷移に加えたものである。「Ｉ」、「Ｃ」、「Ｂ」、「Ａ」の基本状態に加えて、バッテリの充電状態の「Ｆ」、「Ｍ」、「Ｅ」状態が表現されて、各状態は、「Ｉ１」〜「Ｉ３」、「Ｂ１」〜「Ｂ３」・・・と言うように３つづに表現されるため、全部で１２の状態に細分されている。
【００２３】
実際のノート型パソコンの充電制御は、実際にはこのような遷移が発生して充放電動作が行われている。この状態遷移を図９のような状態遷移図に示すことは、複雑すぎて困難となるため、以降は、状態遷移表説明図に頼ることにする。
【００２４】
ここで、現状のノート型パソコンの充放電制御を示した図１１の状態遷移表説明図に従って、実際のノート型パソコンの充放電状況を追ってみることにする。この状況を示したものが、図１２である。図１２では、縦軸にバッテリの蓄電量を示し、横軸は時間軸で、各時刻にどのようなアクションとイベントが発生したかを示している。図１２において、「ＡＣ  ｏｎ」、「ＢＡＴ  Ｍｉｄｄｌｅ」等の表示はアクションを示し、その他は状態変化（イベント）の内容である。
【００２５】
この図１２では、「Ｉ３」の状態（バッテリが空で、ＡＣアダプタ電源供給なし）から始められ、「ＡＣ  ｏｎ」の操作により、「Ｃ３」の状態で、バッテリに充電が行われる。次にバッテリの充電容量が増えてくると、イベント状態変化「ＢＡＴ  Ｍ」で、状態は「Ｃ２」に遷移する。
【００２６】
ここで、装置の電源オンのアクション「Ｐｏｗｅｒ  ｏｎ」が行われると、バッテリヘの充電は続けられたまま、「Ａ２」状態に遷移する。ここで、ＡＣアダプタが取り外されると、「ＡＣ  ｏｆｆ」のアクションによって、状態は「Ｂ２」のバッテリ駆動状態になって、バッテリは放電して容量が減り始める。ここで、装置の電源が切られると「Ｐｏｗｅｒ  ｏｆｆ」によって、装置は、「Ｉ２」のアイドル状態になる。このような動作で、図１１に示した遷移表説明図に従った動作が続けられる。
【００２７】
さて、現状のノート型パソコンに使用されるバッテリパックは、少しでも軽く、また長時間使用ができるように、充電容量密度の高い電池が求められており、ニッケル水素電池や、リチウムイオン２次電池などが標準的に用いられている。
【００２８】
ところが、これら２次電池の欠点の１つとして、トリクル充電に弱いことが指摘されている。つまり、これらの２次電池は、電池が空（蓄電量がゼロ）になってから充電し、満充電になってから放電するという基本的なサイクルの場合には比較的長寿命が得られるが、電池を放電しきらずエネルギーが残存している内にまた充電をして、また途中でそれを放電するといった小刻みな充放電を繰り返す（これをトリクル充電と呼ぶ）と、メモリ効果によって、バッテリの充電容量がどんどん下がり、いくら充電してもバッテリの容量が増えなくなって短時間に寿命を迎えてしまうことが知られている。
【００２９】
この現象を防ぐためには、操作者がバッテリの残存量を意識して、バッテリを使い切ってから再充電するように心がけていれぱ良いのだが、実際には、そのような運用は不可能に近い。通常のノート型パソコンの使用状態を示した図１２のチャートでは、このようなトリクル充電が行われていることが表現されている。
【００３０】
図１２において、湾曲した太い矢印Ａで示した部分は、バッテリが空になってから、充電が行われているので、このような場合には、バッテリヘ悪影響はないのだが、湾曲した太い矢印Ｂ，Ｃで示した部分では、バッテリの蓄電量が空になるまで使用されない内に再充電が行われ、所謂「トリクル充電」が行われていることが分かる。つまり、現状のノート型パソコンで行われているバッテリの充放電制御では、このトリクル充電の繰り返しによってバッテリの寿命が極めて短くなってしまう問題がある。
【００３１】
本発明は、上記の事情に鑑みてなされたもので、トリクル充電を避けるようにしてバッテリの耐久性を向上させるようにしたバッテリ充放電管理制御装置を提供することを課題とする。
【課題を解決するための手段】
【００３２】
本発明は上記の課題を達成するために、第１発明はバッテリパックを搭載するノート型パーソナルコンピュータ装置や携帯型電子機器において、前記バッテリパックを少なくとも２つのブロックに分割し、それぞれのバッテリパックを充電する２回路の充電回路を設け、それぞれの充電回路を統括して制御する充放電制御シーケンス回路を設け、このシーケンス回路により、少なくとも２つのバッテリの充放電方向とタイミングを任意に制御できるようにしたことを特徴とするものである。
【００３３】
第２発明は、前記充放電制御シーケンス回路が、放電から充電への切り替え制御を、それぞれのバッテリが放電完了になってから行なうようにしてトリクル充電状態を回避することを特徴とするものである。
【発明の効果】
【００３４】
以上述べたように、本発明によれば、ノート型パソコンのバッテリパックの中に、２つのバッテリのブロックを設けると共に、パソコン本体側には、２つの充電回路と、これらを司る充放電制御シーケンス回路（シーケンサ）を設けることによって、２つのバッテリブロックがそれぞれ充電状態と放電状態を極力継続する方向に制御するようにして、中途半端な放電の後に充電を再開するようなトリクル充電を避け、これにより、２つのバッテリはそれぞれ、完全な放電を行ってから再充電するという理想的な充電手続きを経ることができるようになり、バッテリの耐久性を理想に近い形で維持向上させることができるようになる。
【００３５】
また、バッテリパックは、予め２個に分離しておくことにより、１個ずつのバッテリ交換も可能になる他、電池駆動中に一方のバッテリが空になった場合に、コンピュータ装置を継続使用したまま予備の充電済みバッテリと交換ができるようになる等、運用面での利便性が大きく高まる。
【発明を実施するための最良の形態】
【００３６】
以下本発明の実施の形態を図面に基づいて説明する。
【００３７】
＜実施の形態１＞
図１は本発明によるバッテリ充放電制御装置の実施の形態１を示す構成説明図で、図１では、図８に示した従来のノート型パソコンの充電回路に相当する充電回路を２回路（２１００と２２００）を持ち、２次電池によるバッテリ１２０は、内部を２つの第１、第２バッテリ１２１と１２２に分割したものである。なお、図１において、符号１１０，１２０，１２０ａ，２００，２０１は、図８と同じ部分を示しているが、内部構成は相違している。
【００３８】
図１において、２１００は、第１バッテリ１２１（ＢＡＴ−Ａ）用の充電回路、２１０１は、ＦＥＴなどからなる充電用スイッチング素子、２１０２は、充電電流のフィードバック制御を行うために充電電流をセンスするためのセンス抵抗、２１０３は、ＦＥＴなどからなる放電用のスイッチング素子、２１０４は逆流防止用ダイオードである。
【００３９】
また、図１において、２２００は、第２バッテリ１２２（ＢＡＴ−Ｂ）用の充電回路、２２０１は、ＦＥＴなどからなる充電用スイッチング素子、２２０２は、充電電流のフィードバック制御を行うために充電電流をセンスするためのセンス抵抗、２２０３は、ＦＥＴなどからなる放電用のスイッチング素子、２２０４は逆流防止用ダイオードである。
【００４０】
２３００は、これら２つの第１、第２バッテリ１２１，１２２と２回路の充電回路２１００、２２００をシーケンシャルに制御して、トリクル充電を極力防ぐことを目的とした充放電制御シーケンス回路（シーケンサ）であり、そのシーケンスの流れを記憶させるためのシーケンスメモリ回路２３０１も内蔵する。この部分は、小型のマイクロプロセッサや、マイクロコントローラを利用することができる。
【００４１】
この充放電制御シーケンス回路２３００は、２つの充電回路２１００、２２００と、２つの充放電用スイッチング素子２１０１、２２０１と２１０３、２２０３とを制御して、２つの第１、第２バッテリ１２１，１２２を持ったバッテリ１２０の回路全体の充放電管理、制御を行う。
【００４２】
２３００ａ〜２３００ｇは制御信号線で、制御信号線２３００ａは、充電回路（Ａ）２１００をイネーブルにして、第１バッテリ１２１（ＢＡＴ−Ａ）を充電する信号を送出するための信号線であり、制御信号線２３００ｂは、第１バッテリ１２１（ＢＡＴ−Ａ）の蓄電量をモニタする信号を受信するための信号線で、その受信信号は、前述した「Ｆ」、「Ｍ（Ｈ）」、「Ｍ（Ｌ）」、「Ｅ」などの状態を判断する元となる状態信号である。制御信号線２３００ｃは、放電用スイッチング素子２１０３をイネーブルにして第１バッテリ１２１を放電させるための信号を送出するための信号線である。
【００４３】
同様に、制御信号線２３００ｄは、充電回路２２００をイネーブルにして、第２バッテリ１２２（ＢＡＴ−Ｂ）を充電する信号を送出するための信号線であり、制御信号線２３００ｅは、第２バッテリ１２２（ＢＡＴ−Ｂ）の蓄電量をモニタする信号を受信するための信号線で、その受信信号は、前述した「Ｆ」、「Ｍ（Ｈ）」、「Ｍ（Ｌ）」、「Ｅ」などの状態を判断する元となる状態信号である。制御信号線２３００ｆは、放電用スイッチング素子２２０３をイネーブルにして第２バッテリ１２２を放電させるための信号を送出するための信号線である。
【００４４】
更に、制御信号線２３００ｇは、ノート型パソコン本体の電源スイッチのオン／オフ状態をモニタする信号を受信するための信号線で、「Ｐｏｗｅｒ  ｏｎ」、「Ｐｏｗｅｒ  ｏｆｆ」のアクションを検知するために使用される。
【００４５】
次に、本発明によるバッテリ充放電制御装置の制御動作を規定する遷移表説明図を図２（ａ）、（ｂ），図３（ａ）、（ｂ）に示す。この遷移表説明図は、図９、図１０でも示した基本的な４つの大きな状態、「Ｉ」、「Ｃ」、「Ｂ」、「Ａ」に従って、４つの表図に分かれているが、統合して１つの遷移表説明図になっている。
【００４６】
この実施の形態１では、バッテリが２つになり、それぞれの第１、第２バッテリ１２１，１２２の蓄電量によって、図１１では３つだった電池の状態遷移イベントが、「ＢＡＴ−ＡＦ」（第１バッテリ１２１がフル）、「ＢＡＴ−ＡＭ」（第１バッテリ１２１が中程度）、「ＢＡＴ−ＡＥ」（第１バッテリ１２１がエンプティ）、「ＢＡＴ−ＢＦ」（第２バッテリ１２２がフル）、「ＢＡＴ−ＢＭ」（第２バッテリ１２２が中程度）、「ＢＡＴ−ＢＥ」（第２バッテリがエンプティ）の６つに増えている。
【００４７】
また、「Ｉ」、「Ｃ」、「Ｂ」、「Ａ」の基本状態は、第１バッテリ１２１と第２バッテリ１２２の蓄電量の状態により、それぞれ１０種の状態に細分化されている。
【００４８】
１０種の状態に細分化されたとは、
［ＢＡＴ−Ａ：ＢＡＴ−Ｂ］＝［Ｆ，Ｆ］、［Ｆ：Ｍ］、［Ｆ：Ｅ］、［Ｍ：Ｆ］、［Ｈ：Ｌ］、［Ｌ：Ｈ］、［Ｍ：Ｅ］、［Ｅ：Ｆ］、［Ｅ：Ｍ］、［Ｅ：Ｅ］の１０通りである。各基本状態がそれぞれ１０種に細分化されるため、全部で４０種の状態が存在することになる。
【００４９】
この図２（ａ），（ｂ）、図３（ａ），（ｂ）の遷移表説明図に従って、図１に示す充放電制御回路２３００を動作させた場合の、実際の動作状態例を図４に示す。分かりやすくするために、図４の「本発明によるノートパソコンの使用状態とバッテリ充放電の容量変化の例」についても、図１２の「従来のノートパソコンの使用状態とバッテリ充放電の容量変化の例」と同じアクション（操作）を同じ順序で行った場合を示している。
【００５０】
図４において、最初は、第１バッテリ１２１（ＢＡＴ−Ａ）も、第２バッテリ１２２（ＢＡＴ−Ｂ）もエンプティの状態「Ｉ１０」から始まり、「ＡＣ  ｏｎ」で第１バッテリ１２１の充電「Ｃ１０」が始まる。第１バッテリ１２１（ＢＡＴ−Ａ）の充電容量が「Ｍｉｄｄｌｅ」になって「Ｃ７」に遷移し、「Ｐｏｗｅｒ  ｏｎ」が行われると、「Ａ７」に遷移して第２バッテリ１２２（ＢＡＴ−Ｂ）の充電が開始される。
【００５１】
図２（ａ），（ｂ）、図３（ａ），（ｂ）の遷移表説明図に従って動作すると、図４に示す通りとなるが、ポイントは、図４に示す（あ）部の「Ｉ５」状態、（い）部の「Ｉ５」状態、（う）部の「Ｉ６」状態など、アイドル状態から、放電を開始する部分であって、（あ）部では、「Ｉ５」から「Ｂ５」に遷移するので、遷移表説明図上は、「Ａ／Ｂ↓」となっていて「第１、第２バッテリ１２１、１２２の放電開始」を意味している。
【００５２】
これは、そのアイドル状態（「Ｉ５」）に入る直前の動作状況に応じて決定されることを意味していて、この場合、その「Ｉ５」に遷移する前には、第１バッテリ１２１が放電状態であったため、この部分の動作も「Ａ↓」第１バッテリ１２１の放電状態を引き継くようにする。
【００５３】
また、（い）部の「Ｉ５」の場合にも、「Ｂ５」に遷移するので、遷移表説明図上は、「Ａ／Ｂ↓」となっていて「第１、第２バッテリ１２１，１２２の放電開始」となっている。この場合は、この「Ｉ５」状態に遷移する前には、第１バッテリ１２１が充電状態であったため、第１バッテリ１２１からの放電をせず、この部分の動作には「Ｂ↓」（第２バッテリ１２２の放電）を開始するようにする。
【００５４】
同様に、（う）部の「I６」の場合は、「Ｂ６」に遷移するのが、遷移表説明図上は、「Ａ／Ｂ↓」となっていて「第１、第２バッテリ１２１，１２２の放電開始」となっている。この場合もこの「Ｉ６」状態に遷移する前には、第２バッテリ１２２が充電状態であったため、第２バッテリ１２２からの放電をせず、この部分の動作は「Ａ↓」（第１バッテリ１２１の放電）を開始するようにする。
【００５５】
このように、この遷移表説明図では、ある状態で、ある事象が起こっても一義的に動作が定まっていない部分があるが、この時点での動作の規定は、その一つ前の状態に遷移する時の状態を、図１に示すシーケンスメモリ回路２３０１に保持しておいて、この内容を参照することにより、決定することが特徴になっている。（実際には、一つ前の遷移時点での動作状況まで含めて状態の細分化を図れば、一義的に動作を定義することができる完全な遷移表説明図ができるが、ここでは、複雑さを回避するために、敢えてこのように、一つ前の遷移時の動作状態による判断要素を設けて説明した。）
この遷移表説明図に基づいて、動作を行った図４の例を見ると、ここで充放電を行っている第１バッテリ１２１と第２バッテリ１２２は、共に、「必ずエンプティになってから再充電が行われている」ことが分かる。つまり、図４に示す湾曲した矢印Ａと矢印Ｃでは、第１バッテリ１２１がエンプティになってから充電され、また、湾曲した矢印Ｂでは、第２バッテリ１２２がエンプティ（空）になってから再充電されている。つまり、この部分の「放電」→「充電」のシーケンスは、トリクル充電にならずに、バッテリを一旦エンプティになるまで放電してから充電するという理想的な充放電サイクルを形成できていることになる。
【００５６】
このような例から、従来の１つのバッテリだけの方式の場合には、トリクル充電になることを防げなかったことが、本発明による方式の場合には、２つのバッテリの充放電方向を上手く制御することによって、トリクル充電の発生を抑制できることが分かる。
【００５７】
＜実施の形態２＞
上記図１の実施の形態１は、バッテリ１２０が従来と同じ１つのバッテリパックからなり、そのバッテリ１２０の中に、第１バッテリ１２１と第２バッテリ１２２の２つのバッテリを有するように分離した例を示した。従って、遷移表説明図上もバッテリを取り外したり、取り付けた場合の遷移状態を省いていたが、この部分のバッテリパックを完全に２つに分離して、図５に示すように独立した２個の第１、第２バッテリ１２１，１２２を用いた構成にすることも可能である。
【００５８】
この場合には、バッテリパックの有無を図１に示す状態モニタ信号２３００ｃと２３００ｅで判断できるように、片方のバッテリが取り外された場合には、もう片方のバッテリで運転動作ができるようにするなどのより完成度の高い制御が行えるようになる。これにより、ノート型パソコンの連続使用状態のまま、先にエンプティになったバッテリパックを予備のフル充電のバッテリパックと交換する作業などをスムースに行うことができるようになる。（バッテリパックが１つに纏められていると、当然バッテリ駆動運転をしながら、バッテリを交換することは不可能である。）
【図面の簡単な説明】
【００５９】
【図１】本発明によるバッテリ充放電制御装置の実施の形態１を示す構成説明図。
【図２】本発明によるバッテリ制御シーケンスの説明図。
【図３】本発明によるバッテリ制御シーケンスの説明図。
【図４】本発明によるノートパソコンの使用状態とバッテリ充放電の容量変化の説明図。
【図５】２個のバッテリパックを取り付けたノートパソコンの斜視図。
【図６】一般的なノートパソコンの斜視図。
【図７】一般的なノートパソコンの内部回路の機能構成説明図。
【図８】一般的なノートパソコンのバッテリ充放電回路の構成説明図。
【図９】最も基本的なノートパソコン動作の遷移状態説明図。
【図１０】最も基本的なノートパソコン動作の遷移状態を表わす遷移表説明図。
【図１１】バッテリの充電状態を考慮した場合のノートパソコン動作の状態遷移表説明図。
【図１２】ノートパソコンの使用状態とバッテリ充放電の容量変化の説明図。
【符号の説明】
【００６０】
１２０…バッテリパック
１２１、１２２…第１、第２バッテリ
２００…充放電制御回路
２０１…ＤＣ／ＤＣコンバータ回路
２１００、２２００…充電回路
２１０１，２２０１…充電用スイッチング素子
２１０２、２２０２…センス抵抗
２１０３，２２０３…放電用スイッチング素子
２１０４、２２０４…逆流防止用ダイオード
２３００…充放電制御シーケンス回路
２３０１…シーケンスメモリ回路
【図１】
2007259535.tif 000003
【図２】
2007259535.tif 000004
【図３】
2007259535.tif 000005
【図４】
2007259535.tif 000006
【図５】
2007259535.tif 000007
【図６】
2007259535.tif 000008
【図７】
2007259535.tif 000009
【図８】
2007259535.tif 000010
【図９】
2007259535.tif 000011
【図１０】
2007259535.tif 000012
【図１１】
2007259535.tif 000013
【図１２】
2007259535.tif 000014